(57)【要約】【課題】ケースの小型化を図りつつケースを把持しやすい撮像装置を提供する。【解決手段】表示パネル１１２の表示面１１２Ａの側方でケース１２の後面１０２Ｂの右側部に凹部２２が設けられている。開閉蓋２０は、凹部２２に揺動可能に連結され、凹部２２を開いた状態でケース１０２の右方向に突出し、凹部２２を閉じた状態で開閉蓋２０の表面２００４とケース１０２の後面１０２Ｂとが連続した面をなすように設けられている。ケース１０２の前面１０２Ａに中指または薬指または中指および薬指の双方を当て付けかつ該開閉蓋２０の裏面２００６に後方から親指を当て付けた状態でケース１０２を片手で保持できる輪郭で形成されている。【選択図】        図４
2006018059.tif 000002
【特許請求の範囲】
【請求項１】
ケースの前方に臨む鏡筒を備える撮像装置であって、
前記ケースの左右方向の縁部に凹部を設け、
前記凹部を開閉し前記凹部を開いた状態で前記ケースの左右方向の端部から左右方向に突出する開閉蓋を設け、
前記開閉蓋は、前記開いた状態で、前記ケースの前面に前方から中指または薬指または中指および薬指の双方を当て付けかつ該開閉蓋に後方から親指を当て付けた状態で前記ケースを片手で保持できる輪郭で形成されている、
ことを特徴とする撮像装置。
【請求項２】
ケースの前方に臨む鏡筒を備える撮像装置であって、
前記ケースの右方向の縁部に凹部を設け、
前記凹部を開閉し前記凹部を開いた状態で前記ケースの右方向の端部から右方向に突出する開閉蓋を設け、
前記開閉蓋は、前記開いた状態で、前記ケースの前面に前方から右手の中指または薬指または中指および薬指の双方を当て付けかつ該開閉蓋に後方から親指を当て付けた状態で前記ケースを片手で保持できる輪郭で形成されている、
ことを特徴とする撮像装置。
【請求項３】
前記凹部には操作ボタンが設けられ、前記開閉蓋には該開閉蓋で前記凹部を閉じた状態で前記操作ボタンが挿入され該操作ボタンが前記開閉蓋の外方に臨む孔が設けられていることを特徴とする請求項１または２記載の撮像装置。
【請求項４】
前記凹部には操作ボタンが設けられ、前記開閉蓋により前記凹部を閉じた状態で前記操作ボタンは前記開閉蓋により覆われることを特徴とする請求項１または２記載の撮像装置。
【請求項５】
前記凹部を閉じた状態で該凹部に臨む前記開閉蓋の裏面に操作ボタンが設けられていることを特徴とする請求項１または２記載の撮像装置。
【請求項６】
レンズ鏡筒が前記ケースの前面に設けられ、前記レンズ鏡筒で撮像した像を表示する表示面が前記ケースの後面に設けられ、前記凹部は前記表示面の側方で前記ケースの後面の右側部に設けられていることを特徴とする請求項１記載の撮像装置。
【請求項７】
レンズ鏡筒が前記ケースの前面に設けられ、前記レンズ鏡筒で撮像した像を表示する表示面が前記ケースの後面に設けられ、前記凹部は前記表示面の側方で前記ケースの後面の右側部に設けられ、前記開閉蓋は開いた状態で前記ケースの後面の延長上に位置することを特徴とする請求項１記載の撮像装置。
【請求項８】
ケースの前方に臨む鏡筒を備える撮像装置であって、
前記ケースの左右方向の端部に、閉じた状態で前記端部に合わされ、開いた状態で前記ケースの端部から左右方向に突出する開閉可能な開閉蓋を設け、
前記開閉蓋は、前記開いた状態で、前記ケースの前面に前方から中指または薬指または中指および薬指の双方を当て付けかつ該開閉蓋に後方から親指を当て付けた状態で前記ケースを片手で保持できる輪郭で形成されている、
ことを特徴とする撮像装置。
【発明の詳細な説明】
【技術分野】
【０００１】
本発明は撮像装置に関する。
【背景技術】
【０００２】
矩形板状のケースと、ケースに該ケースの前方に臨むように設けられたレンズ鏡筒と、ケースの後面に該ケースの後方に臨むように設けられレンズ鏡筒で撮像した像を表示する表示面とを備えた撮像装置が提供されており（例えば特許文献１参照）、近年、この種の撮像装置のより一層の小型化が図られている。
【特許文献１】特開平１０−１３３２７４号公報
【発明の開示】
【発明が解決しようとする課題】
【０００３】
ところで、上述の撮像装置を小型化していくと、ケースを把持しにくくなり、また、表示面を除くケース部分の面積が削減されるため、ケースを指で把持した際に表示面に指がかかって表示パネルが隠されてしまったり表示面に指紋が付くなどの不具合が発生することが想定される。
本発明はケースの小型化を図りつつケースを把持しやすい撮像装置を提供することにある。
【課題を解決するための手段】
【０００４】
上述の目的を達成するため、本発明の撮像装置は、ケースの前方に臨む鏡筒を備える撮像装置であって、前記ケースの左右方向の縁部に凹部を設け、前記凹部を開閉し前記凹部を開いた状態で前記ケースの左右方向の端部から左右方向に突出する開閉蓋を設け、前記開閉蓋は、前記開いた状態で、前記ケースの前面に前方から中指または薬指または中指および薬指の双方を当て付けかつ該開閉蓋に後方から親指を当て付けた状態で前記ケースを片手で保持できる輪郭で形成されていることを特徴とする。
また、本発明は、ケースの前方に臨む鏡筒を備える撮像装置であって、前記ケースの右方向の縁部に凹部を設け、前記凹部を開閉し前記凹部を開いた状態で前記ケースの右方向の端部から右方向に突出する開閉蓋を設け、前記開閉蓋は、前記開いた状態で、前記ケースの前面に前方から右手の中指または薬指または中指および薬指の双方を当て付けかつ該開閉蓋に後方から親指を当て付けた状態で前記ケースを片手で保持できる輪郭で形成されていることを特徴とする。
また、本発明は、ケースの前方に臨む鏡筒を備える撮像装置であって、前記ケースの左右方向の端部に、閉じた状態で前記端部に合わされ、開いた状態で前記ケースの端部から左右方向に突出する開閉可能な開閉蓋を設け、前記開閉蓋は、前記開いた状態で、前記ケースの前面に前方から中指または薬指または中指および薬指の双方を当て付けかつ該開閉蓋に後方から親指を当て付けた状態で前記ケースを片手で保持できる輪郭で形成されていることを特徴とする。
【発明の効果】
【０００５】
本発明によれば、撮像装置を把持する際、親指を除く４つの指をケースの前面に当て付け、かつ、親指を後方から開閉蓋に当て付けてケースを片手で保持できるので、ケースの後面部分が親指を当て付けるためには狭い幅しか確保できない場合であっても、開閉蓋に親指を当て付けてケースをしっかりと保持することができ、ケースの小型化を図りつつケースを把持しやすくする上で有利となる。
【発明を実施するための最良の形態】
【０００６】
ケースの小型化を図りつつケースを把持しやすい撮像装置を提供するという目的を、ケースの左右方向の端部から左右方向に突出する開閉蓋を開閉可能に設け、この開閉蓋を利用することでケースを片手でしっかりと保持できるようにすることによって実現した。
【実施例１】
【０００７】
次に本発明の実施例１について図面を参照して説明する。
図１は実施例１の撮像装置を斜め前方から見た斜視図、図２は実施例１の撮像装置を斜め後方から見た斜視図、図３は撮像装置の開閉蓋が閉じた状態を示す正面図、図４は開放された開閉蓋に親指を当て付けた状態を示す説明図、図５は開閉蓋部分の断面図、図６は開閉蓋の拡大斜視図、図７は撮像装置の制御系を示すブロック図である。
【０００８】
図１、図２に示すように、撮像装置１００はデジタルスチルカメラであって、外装を構成する矩形板状のケース１０２を有し、ケース１０２は、前後方向の厚さと左右方向の幅と上下方向の高さを有している。なお、本明細書においてケース１０２の左右はケース１０２を後方から見た状態でいうものとする。
ケース１０２の前面１０２Ａ左側部寄りの箇所には、前方に臨ませてレンズ鏡筒１０が設けられている。
レンズ鏡筒１０は、鏡筒１２と、鏡筒１２に保持された撮影光学系１４と、撮像素子３０（図７）とを含んで構成され、本実施例では撮影光学系１４は撮影倍率（ズーム比）が広角側と望遠側の間で連続的に可変されるズーミングレンズとして構成されている。
図１、図２に示すように、ケース１０２の前面上部寄りの箇所には閃光を発光するフラッシュ部１０６が設けられている。
ケース１０２の上端面の左側部寄りにはシャッタボタン１１０が設けられている。
ケース１０２の後面１０２Ｂの左側部寄りには、長方形板状の表示パネル１１２が長辺をケース１０２の左右方向と平行させ、短辺をケース１０２の上下方向と平行させた状態で設けられている。
表示パネル１１２は、例えば液晶表示器で構成され、レンズ鏡筒１０で撮像した静止画および動画などの画像や文字や記号などが表示される長方形状の表示面１１２Ａをケース１０２の後面１０２Ｂに開設された矩形状の開口１０２Ｃを介してケース１０２の後方に臨ませて配設されている。
ケース１０２の後面１０２Ｂの右側部には撮影光学系１４の撮影倍率を可変するためのズーム操作ボタン１１４、電源のオンオフ操作ボタン１１６、撮影モード、再生モードの切替を行うモード切替ボタン１１８、表示パネル１１２に表示されるメニューを選択するカーソルを上下方向および左右方向に移動させる４つのカーソルボタン１２０、カーソルで選択されたメニューを実行するための実行ボタン１２２が設けられている。
また、図３に示すように、ケース１０２の後面１０２Ｂの右側部には後述する開閉蓋２０と第１の操作ボタン１２４が設けられ、開閉蓋２０に第２、第３の操作ボタン１２６，１２８が設けられている。
【０００９】
図７に示すように、レンズ鏡筒１０の後部には、撮影光学系１４によって結像された被写体像を撮像するＣＣＤやＣＭＯＳセンサなどで構成された撮像素子１５０が配設され、撮像装置１００は、撮像素子１５０から出力された撮像信号に基づいて画像データを生成し、メモリカードなどの記憶媒体１５２に記録する画像処理部１５４、前記画像データを表示パネル１１２に表示させる表示処理部１５６、撮影光学系１４の撮影倍率を変化させるズーム駆動部１５８、制御部１６０などを備えている。
制御部１６０は、シャッタボタン１１０、ズーム操作ボタン１１４、電源のオンオフ操作ボタン１１６、モード切り換えボタン１１８、カーソルボタン１２０、実行ボタン１２２、第１、第２、第３の操作ボタン１２４、１２６，１２８の操作に基づいて画像処理部１５４、表示処理部１５６、ズーム駆動部１５８を制御するＣＰＵなどを含んでいる。
【００１０】
図２、図３に示すように、ケース１０２の左右部の縁部に凹部２２が設けられている。本実施例では表示パネル１１２の表示面１１２Ａの側方でケース１２の後面１０２Ｂの右側部に上下方向に沿って延在する矩形状の凹部２２が設けられ、凹部２２は、底面２２０１と、底面２２０１の右側端部に設けられた凹状の開閉蓋２０の軸受け収納部２２０２とを有している。
底面２２０１の上部寄りの箇所には前述した電源のオンオフ操作ボタン１１６、モード切替ボタン１１８が配置されている。
底面２２０１の下部寄りの箇所には、前述した第１の操作ボタン１２４が設けられている。
本実施例では、４つのカーソルボタン１２０のうちの１つが底面２２０１上に位置している。
【００１１】
開閉蓋２０は、図５、図６に示すように、平板部２００１と軸受け部２００２を有し、凹部２２の輪郭とほぼ同形同大の輪郭を有する矩形板状に形成されている。
軸受け部２００２は、平板部２００１の一方の長辺寄り部分に設けられ、この軸受け部２００２は、軸線を上下方向に向けて設けられた支軸２２０４を介して凹部２２の軸受け収納部２２０２に揺動可能に連結され、開閉蓋２０により凹部２２を開閉するように形成され、凹部２２を閉じた状態で、開閉蓋２０の表面２００４とケース１０２の後面１０２Ｂとが連続した面をなすように設けられている。
開閉蓋２０は、凹部２２を閉じた状態（あるいは開閉蓋２０を閉じた状態）で、第１の操作ボタン１２４を覆うように形成され、また、平板部２００１には、凹部２２を閉じた状態で、電源のオンオフ操作ボタン１１６、モード切替ボタン１１８がそれぞれ挿入され開閉蓋２０の外方に臨む孔２００８，２０１０が設けられている。
また、開閉蓋２０を閉じた状態で、４つのカーソルボタン１２０のうちの１つが開閉蓋２０の外方に臨む切欠２０１２が設けられている。
また、図６に示すように、凹部２２に臨む開閉蓋２０の裏面２００６の下部には前述した第２、第３の操作ボタン１２６，１２８が左右方向に並んで設けられている。
開閉蓋２０の２つの孔２００８，２０１０のうちの一方の孔２０１０はストラップ３０を取り付ける取り付け孔を兼用しており、この孔２０１０には、支軸２００２と反対側の縁部まで連続する溝２０１４が形成され、孔２０１０の縁部にストラップ３０の紐３００２を結合した際に紐３００２が孔２０１０内に突出しないようになっている。
【００１２】
そして、開閉蓋２０は、凹部２２を開いた状態（あるいは開閉蓋２０を開いた状態）で、ケース１０２の右方向の端部から右方向に突出し、ケース１２の後面の延長上に位置するように形成され、図４に示すように、ケース１０２の前面１０２Ａに中指または薬指または中指および薬指の双方を当て付けかつ該開閉蓋２０の裏面２００６に後方から親指を当て付けた状態でケース１０２を片手で保持できる輪郭で形成されている。
本実施例では、開閉蓋２０は、親指Ｆの腹部（親指の先端から第１関節までの腹部）で親指の長手方向における少なくとも半分程度の部分が当て付けられる長さで上下方向に延在形成されている。
また、親指が当て付けられる裏面２００６の部分（本実施例では平板部２００１の部分）は、裏面２００６の上下方向の中間から上部にわたる部分であり、裏面２００６の下部は親指が当て付けられないデッドスペースとなっており、このデッドスペースの部分に第２、第３の操作ボタン１２６，１２８が設けられている。
なお、開閉蓋２０は、凹部２２を開いた状態で、図５に示すように、その表面２００４が軸受け収納部２２０２に係止し、前方への倒れが阻止され、開閉蓋２０のケース１０２からの突出状態が保持されるように形成され、また、開閉蓋２０は、不図示の従来公知のクリック機構により凹部２２を開いた状態と閉じた状態とで係止されるように構成されている。
【００１３】
次に撮像装置１００の作用効果について説明する。
図４に示すように、開閉蓋２０が開いている状態で、撮像装置１００を手で把持する際には、右手でケース１０２の右側部を把持する。
具体的には、右手の親指を除く４つの指（あるいは中指、薬指の２本の指、あるいは、中指、薬指、小指の３本の指）をケース１０２の前面１０２Ａの右側部に当て付け、かつ、右手の親指を開閉蓋２０の裏面２００６に後方から当て付けてケース１０２を保持し、シャッターチャンスに応じて右手の人差し指でシャッターボタン１１０を押圧する。
したがって、開口１０２Ｃの右側に位置する後面１０２Ｂ部分が、親指を当て付けるためには狭い幅しか確保できない場合であっても、開閉蓋２０の裏面２００６に右手の親指を当て付けてケース１０２を右手のみでしっかりと保持することができる。
また、開かれた開閉蓋２０は表示面１１２Ａからはなれた箇所に位置するため、開閉蓋２０に親指を当て付けた状態で、親指Ｆが表示パネル１１２の表示面１１２Ａにかかることが防止される。したがって、親指で表示面１１２８Ａが隠されてしまったり表示面１１２Ａに指紋が付くなどの不具合が発生することを防止でき、ケース１０２の小型化を図りつつケース１０２を把持しやすくする上で有利となる。
【００１４】
また、図２に示すように、開閉蓋２０が閉じている状態では、開閉蓋２０の表面２００４から２つの孔２００８，２０１０を介してオンオフ操作ボタン１１６、モード切替ボタン１１８を操作することができるが、凹部２２の第１の操作ボタン１２４、開閉蓋２０の裏面２００６の第２、第３操作ボタン１２６，１２８は操作ができない状態となっている。
図３に示すように、開閉蓋２０が開いている状態では、オンオフ操作ボタン１１６、モード切替ボタン１１８を操作することができるとともに、凹部２２の第１の操作ボタン１２４、開閉蓋２０の裏面２００６の第２、第３操作ボタン１２６，１２８が外方に臨むため、これら第１、第２、第３操作ボタン１２４、１２６，１２８を全て操作できる状態となる。
したがって、開閉蓋２０を開いた状態では第１、第２、第３操作ボタン１２４、１２６，１２８を操作でき、開閉蓋２０を閉じた状態では第１、第２、第３操作ボタン１２４、１２６，１２８を隠すことができるため、撮像装置１００の操作性を確保しつつデザイン性を向上させる上で有利となる。
また、ケース１０２の表面箇所に操作スイッチを設けるスペースを確保することができない場合であっても、開閉蓋２０の裏面２００６に第２、第３操作ボタン１２６，１２８を設けるスペースを確保することができるので撮像装置１００の小型化を図る上で有利となる。
しかも、第２、第３操作ボタン１２６，１２８を設ける裏面２００６の下部は、親指が当て付けられないデッドスペースとなっているため、裏面２００６に親指を当て付けてもこれら第２、第３操作ボタン１２６，１２８の誤操作を防止する上で有利である。
【００１５】
なお、第１、第２、第３操作ボタン１２４、１２６，１２８に割り当てる機能は特に限定されるものではない。しかしながら、第１、第２、第３操作ボタン１２４、１２６，１２８として操作頻度の少ない機能を割り当てれば、開閉蓋２０を閉じた状態でこれら第１、第２、第３操作ボタン１２４、１２６，１２８の誤操作を防止することができ、使い勝手を向上させる上で有利となる。このような操作ボタンとしては、例えば表示パネル１０２の色合いや明るさを調整するための調整ボタン、あるいは、撮像した画像データに付加（挿入）する文字データ（タイトルや年月日、時刻など）を設定入力するための入力ボタンなど、撮影条件や撮影日時にまつわる種々のデータ入力ボタンが挙げられる。
また、表示パネル１１２がその表示面１１２Ａに触れることでスイッチとしての機能を果たすタッチパネルとして構成されている場合には撮像装置１００を把持した際に前記タッチパネルに親指が触れて誤操作してしまう不都合が懸念される。
しかしながら本発明では、撮像装置１００を把持する際に、表示パネル１１２から離れた箇所に位置する開閉蓋２０に親指を当て付けるので、親指部分が表示面１１２Ａに接触することを防止でき前記タッチパネルの誤操作を確実に防止することができる。
また、開閉蓋２０の２つの孔２００８，２０１０のうちの一方の孔２０１０がストラップ３０を取り付ける取り付け孔を兼用しているため、開閉蓋２０の他にストラップ取り付け具を設ける必要が無く、撮像装置１００の小型化および省コスト化を図る上で有利となる。
また、本実施例では、図６に示すように、ストラップ３０の紐３００２を孔２０１０に結合した状態で紐３００２が溝２０１４に収容されてずれにくくなるため、ストラップ３０の孔２０１０への取り付けを確実に行う上で有利となる。
【実施例２】
【００１６】
次に本発明の実施例２について図面を参照して説明する。
実施例２が実施例１と異なる点は、開閉蓋がケースの側面に対して開閉可能に設けられている点である。
図８は実施例２の撮像装置の開閉蓋が閉じた状態を示す斜視図、図９は実施例２の撮像装置の開閉蓋が開いた状態を示す斜視図である。
図８、図９に示すように、開閉蓋３０は、本体板部３００２と、この本体板部３００２の一側から直交する方向に屈曲され本体板部３００２よりも面積が小さい屈曲板部３００４とを有し、本体板部３００２と屈曲板部３００４の境の部分が不図示の支軸および軸受けを介してケース１０２の右縁部に揺動可能に連結されている。
また、本体板部３００２にはストラップを連結するための孔３００３が設けられている。
【００１７】
開閉蓋３０は、閉じた状態で、本体板部３００２の裏面３００６がケース１０２の右側面１０２Ｄと重ね合わされ表面３００８が右側方に臨み、開いた状態で、屈曲板部３００４がケース１０２の溝１０３内に没入され、本体板部３００２がケース１０２の右側面１０２Ｄ（右方向の端部）から右方向に突出し表面３００８がケース１０２の後方に臨むように設けられている。
本実施例では、開閉蓋３０は前記開状態で開閉蓋３０の表面３００８とケース１０２の後面１０２Ｂとが連続した面をなすように設けられている。
また、開閉蓋３０は、不図示の従来公知のクリック機構により前記閉状態と開状態とで係止されるように構成されている。
開閉蓋３０の本体板部３００２は、ケース１０２の前面１０２Ａに中指または薬指または中指および薬指の双方を当て付けかつ該本体板部３００２の表面３００８に親指を後方から当て付けた状態でケース１０２を片手で保持できる輪郭で形成されている。本実施例では、開閉蓋３０は、親指の腹部（親指の先端から第１関節までの腹部）で親指の長手方向における少なくとも半分程度の部分が当て付けられる大きさで形成されている。
【００１８】
実施例２によれば、実施例１と同様に、開口１０２Ｃの右側に位置する後面１０２Ｂ部分が、親指を当て付けるためには狭い幅しか確保できない場合であっても、開閉蓋３０の表面３００６に右手の親指を当て付けてケース１０２を右手のみでしっかりと保持することができ、また、開かれた開閉蓋３０は表示面１１２Ａからはなれた箇所に位置するため、親指で表示面１１２８Ａが隠されてしまったり表示面１１２Ａに指紋が付くなどの不具合が発生することを防止でき、ケース１０２の小型化を図りつつケース１０２を把持しやすくする上で有利となる。
また、開閉蓋３０の孔３００３にストラップ３０を取り付けることができるので、開閉蓋３０の他にストラップ取り付け具を設ける必要が無く、撮像装置１００の小型化および省コスト化を図る上で有利となる。
【００１９】
なお、各実施例では、右利きのユーザーを対象とした撮像装置について説明したが、本発明は左利きのユーザーを対象とした撮像装置にも無論適用される。この場合には、ケース１０２の左部の縁部に開閉蓋が設けられ、開閉蓋は、ケースの前面に左手の中指または薬指または中指および薬指の双方を当て付けかつ該開閉蓋に左手の親指を当て付けた状態でケースを左手で保持できる輪郭で形成され、それら部材の詳細は各実施例と同様である。
また、各実施例では、撮像装置としてデジタルスチルカメラを例示したが、本発明はビデオカメラやテレビカメラなど撮像装置に無論適用可能である。
【図面の簡単な説明】
【００２０】
【図１】実施例１の撮像装置を斜め前方から見た斜視図である。
【図２】実施例１の撮像装置を斜め後方から見た斜視図である。
【図３】撮像装置の開閉蓋が閉じた状態を示す正面図である。
【図４】開放された開閉蓋に親指を当て付けた状態を示す説明図である。
【図５】開閉蓋部分の断面図である。
【図６】開閉蓋の拡大斜視図である。
【図７】撮像装置の制御系を示すブロック図である。
【図８】実施例２の撮像装置の開閉蓋が閉じた状態を示す斜視図である。
【図９】実施例２の撮像装置の開閉蓋が開いた状態を示す斜視図である。
【符号の説明】
【００２１】
１００……撮像装置、１０２……ケース、２２……凹部、２０、３０……開閉蓋。
【図１】
2006018059.tif 000003
【図２】
2006018059.tif 000004
【図３】
2006018059.tif 000005
【図４】
2006018059.tif 000006
【図５】
2006018059.tif 000007
【図６】
2006018059.tif 000008
【図７】
2006018059.tif 000009
【図８】
2006018059.tif 000010
【図９】
2006018059.tif 000011